(57)【特許請求の範囲】
【請求項１】
白色発光ダイオードと、発光と受光とで切り替えて使用され発光時は暖色で単色発光の受発光兼用ダイオードとからなる複数の光源を有し、
上記受発光兼ダイオードの受光出力に応じて上記複数の光源の発光状態を制御する発光制御回路を有し、
この発光制御回路は、上記受発光兼用ダイオードの温度に応じて上記白色発光ダイオードおよび受発光兼用ダイオード発光状態を補正する手段と、
発光時に上記受発光兼用ダイオードを定電流駆動する定電流駆動回路と
を有し、
上記補正する手段は、上記定電流駆動回路の電位変化に基づいて前記受発光兼用ダイオードの温度補正を行う手段を含み、
上記発光制御回路は、
上記受発光兼用ダイオードの受光出力により、外光輝度が比較的高く昼間時であると判断されるときは、上記白色発光ダイオードに与える電流値を消費電力を抑える電流値とし、夕暮れ時であると判断されるときは、上記白色発光ダイオードの電流値を昼間時より大きな値とし、夜間時であると判断されるときは、上記白色発光ダイオードの電流値を昼間時よりも小さな値とし、上記受発光兼用ダイードに与える電流値は、外光輝度によらず一定に制御する
ことを特徴とする照明装置。
【請求項２】
請求項１記載の照明装置において、前記補正する手段は、前記電位変化に応じて、前記受発光兼用ダイオードの受光出力電圧をシフトさせることを特徴とする照明装置。
【請求項３】
請求項１記載の照明装置において、前記補正する手段は、前記電位変化に応じて、前記受発光兼ダイオードの受光出力に対して前記複数の光源の発光状態を制御するための判定レベル値を補正することを特徴とする照明装置。
【請求項４】
白色発光ダイオードと、発光と受光とで切り替えて使用され発光時は暖色で単色発光の受発光兼用ダイオードとからなる複数の光源の発光状態を、上記受発光兼用ダイオードの受光出力に応じて制御する照明制御方法において、
発光制御回路が、上記受発光兼用ダイオードの温度に応じて、上記複数の光源の発光状態を補正し、
発光時に上記受発光兼用ダイオードを定電流駆動する定電流駆動回路の電位変化に基づいて受発光兼用ダイオードの温度補正を行い、
発光制御回路が、上記受発光兼用ダイオードの受光出力により、外光輝度が比較的高く昼間時であると判断されるときは、上記白色発光ダイオードに与える電流値を消費電力を抑える電流値とし、夕暮れ時であると判断されるときは、上記白色発光ダイオードの電流値を昼間時よりも大きな値とし、夜間時であると判断されるときは、上記白色発光ダイオードの電流値を昼間時よりも小さな値とし、上記受発光兼用ダイードに与える電流値は、外光輝度によらず一定に制御する
ことを特徴とする照明制御方法。
【発明の詳細な説明】
【技術分野】
【０００１】
本発明は、照明装置および照明制御方法に関する。
【背景技術】
【０００２】
白色発光ダイオード（ＬＥＤ：Ｌｉｇｈｔ  Ｅｍｉｔｔｉｎｇ  Ｄｉｏｄｅ）の長寿命かつ低消費電力という特徴を生かし、照明器具への応用がなされている。白色発光ダイオードを照明器具に使用する場合に、その照明光量の調整は、通常は、駆動電流のデューティー比を制御することにより実現される。また、別途設ける測光素子により外光輝度を測定し、この照明光量を切り替えることにより、エネルギー消費を削減することも提案されている。さらに、白色だけでなく、たとえば３原色の発光ダイオードを使用し、照明光の色調を調整して照明効果を高めることも行われている（たとえば特許文献１、２参照）。
【０００３】
ところで、照明は、昼には白色光でもよいが、夜の室内は暖色系の光による照明の方が安らげることが知られている。また、昼は太陽の光もあり、十分な明るさを確保でき、通常の作業ができるが、夜は照明装置のみの明るさとなり、眼を使う作業が十分に行えないということがある。また、逆に、昼間は十分な光量によって作業をし、夜は省エネを考えて少ない光量としたいという要望も考えられる。特許文献１、２に記載の技術は、出力を一定としながら照明光の色調を調整するものであるため、そのような要望には対応することができない。測光素子を別途設けて照明光量を切り替える技術では、照明とは別の位置に測光素子を配置する必要があり、また、そのための回路も必要となっている。
【先行技術文献】
【特許文献】
【０００４】
【特許文献１】特開２００９−００９７８２号公報
【特許文献２】特開２００９−００９８１７号公報
【発明の概要】
【発明が解決しようとする課題】
【０００５】
本願発明者は、上述の課題を解決するため、測光素子を別途設ける必要なしに周囲の外光輝度に応じて色調およびまたは光量を調整することのできる照明装置を発明し、既に特許出願した（特願２００９−０９６４０８、以下、「先の出願」という）。
【０００６】
先の出願に記載した発明では、白色光源と少なくとも１種類の色の単色発光ダイオードとを組み合わせ、単色発光ダイオードの少なくともひとつを発光と受光とで切り替えて受発光兼用ダイオードとして使用し、この受発光兼用ダイオードの受光出力に応じて白色光源と単色発光ダイオードとの発光状態を制御することにより、照明光の色調およびまたは光量を制御している。すなわち、受発光兼用ダイオードにより外光輝度を測光し、その測光値により、全体の色調や光量を制御している。しかし、その後の実験で、単色発光ダイオードを発光動作させたときの熱により、測光動作時の測光が常温時と異なってしまう場合があることが判明した。
【０００７】
本発明は、このような背景になされたものであり、温度変動があっても常温時と同様の発光状態の制御を行うことのできる照明装置および照明方法を提供することを目的とする。
【課題を解決するための手段】
【０００８】
本発明の第１の観点によると、発光色の異なる複数の光源を有し、この複数の光源の少なくともひとつは、発光と受光とで切り替えて使用される受発光兼用ダイオードであり、この受発光兼用ダイオードの受光出力に応じて複数の光源の発光状態を制御する発光制御回路を有し、この発光制御回路は、受発光兼用ダイオードの温度に応じて複数の光源の発光状態を補正する手段を有する照明装置が提供される。
【０００９】
本発明の第２の観点によると、発光と受光とで切り替え可能な受発光兼用ダイオードを含む複数の光源の発光状態を、受発光兼用ダイオードの受光出力に応じて制御する照明制御方法において、受発光兼用ダイオードの温度に応じて、複数の光源の発光状態を補正する照明制御方法が提供される。
【発明の効果】
【００１０】
本発明によれば、温度変動があっても、受発光兼用ダイオードの温度に応じて複数の光源の発光状態を補正することで、常温時と同様の発光状態の制御を行うことができる。
【図面の簡単な説明】
【００１１】
【図１】本発明の第１の実施の形態に係る照明装置の回路図である。
【図２】図１に示す照明装置内の制御用マイクロプロセッサによる制御の流れを示すフローチャートである。
【図３】図１に示す単色発光ダイオードＬＥＤｏを発光させるときの順方向電圧ＶＦの温度特性例を示す図である。
【図４】図１に示す単色発光ダイオードＬＥＤｏのＰＮ接合を受光素子として使用する場合の開放電圧Ｖｏｃの温度特性例を示す図である。
【図５】測光回路を構成するＦＥＴトランジスタＱ６のゲート電圧Ｖｉｎとドレイン電圧Ｖｏｕｔの入出力特性例を示す図である。
【発明を実施するための形態】
【００１２】
以下、本発明の実施の形態について、図面を参照して説明する。
【００１３】
［照明装置の回路構成］
図１は本発明の実施の形態に係る照明装置の回路図である。この照明装置は、発光色の異なる複数の光源として、白色光を発生する白色発光ダイオードＬＥＤｗと、白色以外の単色光を発生する単色発光ダイオードＬＥＤｏとを有する。白色発光ダイオードＬＥＤｗとして、図１では直列接続された２個の例を示すが、１個のみとしたり、直接接続された３個以上としてもよく、また、並列接続としてもよい。単色発光ダイオードＬＥＤｏとして、図１では１個だけを示すが、同じ発光色で複数、あるいは異なる発光色で複数設けることもできる。単色発光ダイオードＬＥＤｏの少なくともひとつは、発光と受光とで切り替えて使用される受発光兼用ダイオードである。照明装置は、受発光兼用ダイオードの受光出力に応じて白色発光ダイオードＬＥＤｗと単色発光ダイオードＬＥＤｏとの発光状態を制御する発光制御回路として、制御用マイクロプロセッサ１００と、抵抗Ｒ１〜Ｒ４およびトランジスタＱ１〜Ｑ３、Ｑ５とを有する。
【００１４】
白色発光ダイオードＬＥＤｗのアノードは、抵抗Ｒを介して、電源Ｖｄｄに接続される。白色発光ダイオードＬＥＤｗのアノードはまた、発光ダイオード駆動集積回路１０１のＩｓｅｎｓｅ端子に接続される。白色発光ダイオードＬＥＤｗのカソードは、リアクタンスＬ１を介して発光ダイオード駆動集積回路１０１のＬＸ端子に接続される。抵抗Ｒ、白色発光ダイオードＬＥＤｗおよびリアクタンスＬ１の直列回路には、並列に、保護用のダイオードＤが接続される。電源Ｖｄｄと接地点ＧＮＤとの間には、キャパシタＣが設けられる。発光ダイオード駆動集積回路１０１のＶｉｎ端子には、電源Ｖｄｄが接続される。発光ダイオード駆動集積回路１０１のＧＮＤ端子は、接地（ＧＮＤ）される。発光ダイオード駆動集積回路１０１のＡＤＪ端子は、電流値調整端子であり、白色発光ダイオードＬＥＤｗに流れる電流を設定するための電圧が入力される。発光ダイオード駆動集積回路１０１としては、一般的なスイッチングレギュレータを用いる。
【００１５】
発光ダイオード駆動集積回路１０１のＡＤＪ端子には、抵抗Ｒ１〜Ｒ４およびトランジスタＱ１〜Ｑ３、Ｑ５からなる回路が接続される。抵抗Ｒ１は、一端が、電圧レギュレータ１０２の出力する電源Ｖｃｃに接続される。電圧レギュレータ１０２の入力は、電源Ｖｄｄに接続される。抵抗Ｒ１の他端は、抵抗Ｒ２を介してトランジスタＱ１のコレクタに、抵抗Ｒ３を介してトランジスタＱ２のコレクタに、抵抗Ｒ４を介してトランジスタＱ３のコレクタに、抵抗を介さずにトランジスタＱ５のコレクタに、それぞれ接続される。トランジスタＱ１〜Ｑ３のエミッタは接地（ＧＮＤ）される。抵抗Ｒ１の他端はまた、発光ダイオード駆動集積回路１０１のＡＤＪ端子に接続される。
【００１６】
トランジスタＱ１のベースは、制御用マイクロプロセッサ１００の出力ポートＲＢ１に接続される。トランジスタＱ２のベースは、制御用マイクロプロセッサ１００の出力ポートＲＢ２に接続される。トランジスタＱ３のベースは、制御用マイクロプロセッサ１００のＲＢ３端子に接続される。トランジスタＱ５のベースは、制御用マイクロプロセッサ１００の出力ポートＲＣ１に接続される。制御用マイクロプロセッサ１００のＶｃｃ端子には、電圧レギュレータ１０２の出力する電源Ｖｃｃが接続される。制御用マイクロプロセッサ１００のＶｓｓ端子は、接地される。
【００１７】
単色発光ダイオードＬＥＤｏのアノードは、ＦＥＴトランジスタＱ６のゲートに接続され、トランジタＱ７のコレクタ、エミッタを介して電圧Ｖｃｃに接続される。ＦＥＴトランジスタＱ６は、ドレインが抵抗Ｒ６を介して電源Ｖｃｃに接続され、ソースが抵抗Ｒ７を介して接地（ＧＮＤ）されて、測光回路を構成する。ＦＥＴトランジスタＱ６のドレインは、制御用マイクロプロセッサ１００のアナログ・ディジタル変換ポートＡＮ１に接続される。トランジスタＱ７のベースは、抵抗Ｒ８を介して電源Ｖｃｃに接続される。トランジスタＱ７のベースにはまた、インバータゲートＩ１〜Ｉ３および抵抗Ｒ９を介して、制御用マイクロプロセッサ１００の出力ポートＲＣ０が接続される。
【００１８】
単色発光ダイオードＬＥＤｏのカソードは、抵抗Ｒ１０を介して電源Ｖｃｃに接続され、抵抗Ｒ１１を介して接地（ＧＮＤ）され、さらには、トランジスタＱ８のコレクタに接続される。単色発光ダイオードＬＥＤｏのカソードとトランジスタＱ８のコレクタとの接続点は、制御用マイクロプロセッサ１００のアナログ・ディジタル変換ポートＡＮ２に接続される。トランジスタＱ８のエミッタは、抵抗Ｒ１２を介して接地（ＧＮＤ）される。トランジスタＱ８のエミッタはまた、トランジスタＱ９のベースに接続される。トランジスタＱ８のベースは、可変抵抗ＶＲ１３を介して電源Ｖｃｃに接続され、かつトランジスタＱ９のコレクタ、エミッタを介して接地（ＧＮＤ）される。トランジスタＱ９のコレクタには、トランジスタＱ１０のコレクタが接続される。トランジスタＱ１０のエミッタは接地（ＧＮＤ）される。トランジスタＱ１０のベースおよびエミッタには、制御用マイクロプロセッサ１００の出力ポートＲＣ０が、インバータゲートＩ１を介して接続される。
【００１９】
［基本的な動作］
以上の構成において、トランジスタＱ８、Ｑ９と抵抗Ｒ１２および可変抵抗ＶＲ１３は、従来から知られている定電流駆動回路を構成する。すなわち、トランジスタＱ８のコレクタ電流が増加すると、トランジスタＱ８のエミッタと接地との間に接続されている抵抗Ｒ１２の電位降下が大きくなり、トランジスタＱ９がオンになる。これにより、トランジスタＱ８のベース電流が減少し、結果として、トランジスタＱ８のコレクタ電流が減少する。トランジスタＱ８のコレクタ電流が減少した場合は、逆の作用が起こる。このようにして、トランジスタＱ８のコレクタ電流は、一定に保たれる。定電流値は、可変抵抗ＶＲ１３により微調整できる。
【００２０】
定電流駆動回路のオン、オフは、制御用マイクロプロセッサ１００の出力ポートＲＣ０からの信号により制御される。出力ポートＲＣ０が高電位になると、インバータゲートＩ１の出力が低電位となり、トランジスタＱ１０がオフとなる。同時に、インバータＩ３の出力も低電位となり、トランジスタＱ７はオンとなる。これにより、単色発光ダイオードＬＥＤｏが、定電流駆動されて発光する。
【００２１】
出力ポートＲＣ０が低電位になると、トランジスタＱ１０はオンとなり、トランジスタＱ８がオフとなる。これにより、単色発光ダイオードＬＥＤｏのカソードに、抵抗Ｒ１０、Ｒ１１のバイアス電圧が供給される。また、トランジスタＱ７はオフとなり、単色発光ダイオードＬＥＤｏのアノードは開放となる。これにより、単色発光ダイオードＬＥＤｏが受光ダイオードとして動作する。ＦＥＴトランジスタＱ６は、外光輝度により発生した単色発光ダイオードＬＥＤｏの開放電圧を測定する。ＦＥＴトランジスタＱ６の出力電圧Ｖｏｕｔは、制御用マイクロプロセッサ１００のアナログ・ディジタル変換ポートＡＮ１に入力される。
【００２２】
一方、白色発光ダイオードＬＥＤｗは、発光ダイオード駆動集積回路１０１により駆動される。この実施の形態では、抵抗Ｒ１に対する分圧抵抗を抵抗Ｒ２から抵抗Ｒ４のうちから選ぶことにより、３種類の駆動電流値を選択できる。各駆動電流値は、対応するトランジスタＱ１からＱ３のいずれかをオンにすることにより選択できる。また、トランジスタＱ５をオンにすることにより、駆動電流をオフにすることができる。ここで、抵抗Ｒ２は、白色発光ダイオードＬＥＤｗの駆動電流が１００ｍＡとなる値に設定されているものとする。同様に、抵抗Ｒ３は、駆動電流が３００ｍＡとなる値に設定され、抵抗Ｒ４は、駆動電流が６００ｍＡとなる値に設定されているものとする。また、可変抵抗ＶＲ１３は、単色発光ダイオードＬＥＤｏの駆動電流が２００ｍＡとなるように設定されているものとする。
【００２３】
［発光制御］
図２は、制御用マイクロプロセッサ１００による発光制御の流れを示すフローチャートである。
【００２４】
制御用マイクロプロセッサ１００は、照明時には、出力ポートＲＣ０を高電位、ＲＣ１を低電位とし、出力ポートＲＢ１〜ＲＢ３のいずれかを高電位とする。これにより、単色発光ダイオードＬＥＤｏは、２００ｍＡで定電流駆動されて発光する。また、白色発光ダイオードＬＥＤｗは、出力ポートＲＢ１〜ＲＢ３の出力に対応する電流で駆動されて発光する。ここで、初期状態では、白色発光ダイオードＬＥＤｗを３００ｍＡで駆動するものとする（ステップＳ１）。すなわち、制御用マイクロプロセッサ１００は、初期状態では、出力ポートＲＢ２を高電位、出力ポートＲＢ１、ＲＢ３を低電位とする。
【００２５】
また、このとき、制御用マイクロプロセッサ１００は、このときの定電流駆動回路の電位降下、すなわち単色発光ダイオードＬＥＤｏのカソードとトランジスタＱ８のコレクタとの接続点の電圧Ｖｃｉを、アナログ・ディジタル変換ポートＡＮ１によりディジタル信号に変換し、初期電圧値Ｖｃｉ１として記憶する（ステップＳ２）。単色発光ダイオードＬＥＤｏは、発光すると、流れる電流により発熱する。発熱量に比例して、単色発光ダイオードＬＥＤｏの順方向電圧ＶＦが減少する。単色発光ダイオードＬＥＤｏが定電流で駆動されるなら、順方向電圧ＶＦの減少分の電圧ΔＶＦが、定電流駆動回路の電位降下（Ｖｃｉ）の増加分として現れることになる。したがって、電位降下の初期値に対する変化分を測定すれば、温度による順方向電圧ＶＦの変化分であるΔＶＦを検出できる。
【００２６】
ステップＳ１、Ｓ２の後、制御用マイクロプロセッサ１００は、任意間隔の時間、例えば３０秒毎に（ステップＳ３でＹ）、定電流駆動回路の電位降下（電圧値Ｖｃｉ２）を測定し（ステップＳ４）、２ミリ秒間だけ、出力ポートＲＣ０を低電位に、出力ポートＲＣ１を高電位にする。これにより、白色発光ダイオードＬＥＤｗと単色発光ダイオードＬＥＤｏの発光が停止し、単色発光ダイオードＬＥＤｏは測光モードとなる。そして、ＦＥＴトランジスタＱ６のドレインに、測光レベルとして、外光輝度に比例した電圧が得られる（ステップＳ５）。制御用マイクロプロセッサ１００は、この電圧をアナログ・ディジタル変換し、定電流駆動回路の電位変化ΔＶｃｉ＝Ｖｃｉ２−Ｖｃｉ１により温度補正し（ステップＳ６）、その温度補正した測光レベルをあらかじめ設定されているテーブル値と比較して、白色発光ダイオードＬＥＤｗの電流値を選択する。（ステップＳ７）。
【００２７】
外光輝度を測光するためには、白色発光ダイオードＬＥＤｗと単色発光ダイオードＬＥＤｏの双方を消灯する必要がある。このため、使用者に照明のちらつきを意識させないように、２ミリ秒またはそれより短い時間で測光することが望ましい。測光終了後、制御用マイクロプロセッサ１００は、白色発光ダイオードＬＥＤｗおよび単色発光ダイオードＬＥＤｏを点灯する（ステップＳ８）。
【００２８】
［測光出力の温度補正］
図３は、単色発光ダイオードＬＥＤｏを発光させるときの順方向電圧ＶＦの温度特性例を示す図である。また、図４、単色発光ダイオードＬＥＤｏのＰＮ接合を受光素子として使用する場合の開放電圧Ｖｏｃの温度特性例を示す図である。
【００２９】
定電流駆動回路の電位変化ΔＶｃｉ＝Ｖｃｉ２−Ｖｃｉ１は、発熱による単色発光ダイオードＬＥＤｏの順方向電圧ＶＦの変化分となる。順方向電圧ＶＦの温度による変化は、図３に示す例では、約−２ｍＶ／℃で現れている。したがって、温度が高くなると単色発光ダイオードＬＥＤｏの順方向電圧ＶＦは小さくなり、順方向電圧ＶＦを反映する電位変化ΔＶｃｉは、約２ｍＶ／℃で変化する温度係数をもつことになる。
【００３０】
一方、単色発光ダイオードＬＥＤｏの開放電圧Ｖｏｃの温度変化は、約−２．３ｍＶ／℃で現れている。したがって、温度が高くなると開放電圧Ｖｏｃは小さくなり、順方向電圧ＶＦと同一傾向になる。また、その温度係数もほぼ等しいので、順方向電圧ＶＦ分に相当する電圧を測光出力電圧からシフトすれば、測光値の温度補正が行われることになる。
【００３１】
図５は、測光回路を構成するＦＥＴトランジスタＱ６のゲート電圧Ｖｉｎとドレイン電圧Ｖｏｕｔの入出力特性例を示す図である。図の直線部分を使用するようにバイアス電圧を設定した場合のΔＶｏｕｔ／ΔＶｉｎは、Ｖｉｎ＝２．２Ｖ付近で約−７倍となっている。ここで、負号は、入力電圧が高くなると、出力電圧が低くなっていることを示す。したがって、温度による順方向電圧ＶＦの変化分に相当する電位変化ΔＶｃｉを７倍した電圧値を測光出力電圧Ｖｏｕｔから減算することで、温度補正をすることができる。また、測光レベル対して、白色発光ダイオードＬＥＤｗの発光状態を制御するためにあらかじめ設定されているテーブルの値（判定レベル値）に加算する補正を行うことでも、温度補正ができる。
【００３２】
外光輝度に対してＦＥＴトランジスタＱ６のドレインに得られる測光出力電圧は、外光輝度が暗くなると高くなる。制御用マイクロプロセッサ１００は、測光出力電圧が低く、外光輝度が十分あると判断されたときは、白色発光ダイオードＬＥＤｗの電流値を３００ｍＡのように設定し、全体の消費電力を抑える。一方、測光結果が夕暮れ時を表しているような場合は、白色発光ダイオードＬＥＤｗの電流値を６００ｍＡに設定し、より明るい照明を得る。測光結果が夜間を表している場合は、白色発光ダイオードＬＥＤｗの電流値を２００ｍＡに設定し、省エネルギーモードとする。
【００３３】
単色発光ダイオードＬＥＤｏの電流値は２００ｍＡで一定であるから、白色発光ダイオードＬＥＤｗの電流値を変化させると、照明の色調が変化する。たとえば、単色発光ダイオードＬＥＤｏとしてオレンジ色で発光するものを用いる場合、白色発光ダイオードＬＥＤｗの駆動電流値を小さくすると、オレンジ色の混色の度合いが強まり、電球色の色調を帯びるようになる。これにより、省エネルギー効果と安らぎ効果とを得ることができる。
【００３４】
以上の説明では、単色発光ダイオードＬＥＤｏとして、特に色を限定しないで説明するとともに、例示のひとつとしてオレンジ色で発光するものを用いるものとしたが、発光色が暖色系であれば、赤など、他の色で発光するものを用いることもできる。また、電球色を発光ダイオードで再現するために、３原色の赤、緑、青の発光色の発光ダイオードの発光輝度を調整してもよい。
【００３５】
また、図１に示す照明装置では、２個の白色発光ダイオードＬＥＤｗと１個の単色発光ダイオードＬＥＤｏとを組み合わせているが、さらに多数の発光ダイオードを組み合わせてもよく、発光色の異なるさらに多種類の発光ダイオードを組み合わせることもできる。単色発光ダイオードを複数用いる場合には、そのすべてを受光に用いる必要はなく、１個または少数個だけを受光用とすることができる。多数の発光ダイオードを組み合わせる場合には、最も長波長側の赤色発光ダイオードで測光することで、測光輝度範囲をより拡大できる。
【００３６】
図１に示す照明装置では、単色発光ダイオードＬＥＤｏは定電流駆動されるものとして説明したが、この駆動電流を変化させることもできる。したがって、制御用マイクロプロセッサ１００は、一般には、受発光兼用ダイオードの受光出力により表される外光輝度が比較的高い（まだ暗くなっていない）ときには、単色発光ダイオードＬＥＤｏの発光出力に対して相対的に白色発光ダイオードＬＥＤｗの発光出力を大きくし、外光輝度が比較的低い（暗くなった）ときには、単色発光ダイオードＬＥＤｏの発光出力に対して相対的に白色発光ダイオードＬＥＤｗの発光出力を小さくするようにしてもよい。さらに、昼のように外光輝度がさらに高いときには、白色発光ダイオードの発光出力を中間の値にすることが望ましい。
【００３７】
制御用マイクロプロセッサ１００に手動によりオン、オフが切り替えられるスイッチを設け、このスイッチがオンのときには、自動輝度判定を解除し、手動による発光量調整を可能とする構成とすることもできる。
【符号の説明】
【００３８】
ＬＥＤｗ  白色発光ダイオード（光源の一部）
ＬＥＤｏ  単色発光ダイオード（受発光兼用ダイオード）
１００  制御用マイクロプロセッサ（発光制御回路の一部、補正する手段）
１０１  発光ダイオード駆動集積回路
１０２  電圧レギュレータ
Ｒ１〜Ｒ４  抵抗（発光制御回路の一部）
Ｑ１〜Ｑ３、Ｑ５  トランジスタ（発光制御回路の一部）
Ｒ、Ｒ６〜Ｒ１１  抵抗
Ｌ１  リアクタンス
Ｄ  ダイオード
Ｃ  キャパシタ
Ｑ６  ＦＥＴトランジスタ
Ｑ７、Ｑ１０  トランジスタ
Ｑ８、Ｑ９  トランジスタ（定電流駆動回路の一部）
Ｒ１１  抵抗（定電流駆動回路の一部）
ＶＲ１３  可変抵抗（定電流駆動回路の一部）
Ｉ１〜Ｉ３  インバータゲート
【図１】
0005536371.tif 000002
【図２】
0005536371.tif 000003
【図３】
0005536371.tif 000004
【図４】
0005536371.tif 000005
【図５】
0005536371.tif 000006